(57)【要約】      （修正有）【課題】展示フレームに鑑賞対象物を収納して展示した際に、鑑賞対象物自体の美観を鑑賞者に与えるだけでなく、展示フレームから鑑賞対象物に興趣を添えることができる展示フレームを提供する。【解決手段】鑑賞対象物を展示するための展示窓１２が形成された板状のフレーム本体１１を備えている展示フレーム１であって、フレーム本体における展示窓の周囲の領域に、特定のテーマに基づいた画像が表示されている。展示窓の周囲の領域に表示された画像が、鑑賞者に鑑賞対象物と関連付けさせることができる画像であり、また展示窓の周囲の領域が複数に分割されており、分割された複数の領域の各々に特定のテーマに基づいた画像が表示されているのが好ましい。【選択図】図１
0003204196.tif 000002
【実用新案登録請求の範囲】
【請求項１】
鑑賞対象物を展示するための展示窓が形成された板状のフレーム本体を備えている展示フレームであって、
前記フレーム本体における前記展示窓の周囲の領域に、特定のテーマに基づいた画像が表示されていることを特徴とする展示フレーム。
【請求項２】
前記展示窓の周囲の領域に表示された画像が、鑑賞者に前記鑑賞対象物と関連付けさせることができる画像であることを特徴とする請求項１に記載の展示フレーム。
【請求項３】
前記展示窓の周囲の領域が複数に分割されており、分割された複数の領域の各々に特定のテーマに基づいた画像が表示されていることを特徴とする請求項１または請求項２に記載の展示フレーム。
【請求項４】
前記鑑賞対象物が写真であり、
前記展示窓の周囲の領域に表示された画像が、前記鑑賞対象物の写真と撮影場所または被写体が同じ写真であることを特徴とする請求項１ないし請求項３のいずれか１項に記載の展示フレーム。
【請求項５】
前記鑑賞対象物が絵画であり、
前記展示窓の周囲の領域に表示された画像が、前記鑑賞対象物の絵画の作者の別の作品または前記鑑賞対象物の絵画と同じテーマの作品であることを特徴とする請求項１ないし請求項３のいずれか１項に記載の展示フレーム。
【請求項６】
前記フレーム本体が合紙マットで構成されていることを特徴とする請求項１ないし請求項５のいずれか１項に記載の展示フレーム。
【請求項７】
前記展示窓の面積が前記フレーム本体の背面から表面に向かって大きくなるように、前記展示窓の周縁部が傾斜していることを特徴とする請求項１ないし請求項６のいずれか１項に記載の展示フレーム。
【請求項８】
前記フレーム本体の背面に、板状の保持部材が取り付けられており、前記保持部材と前記フレーム本体との間に前記鑑賞対象物を挟み込んで保持するように構成されていることを特徴とする請求項１ないし請求項７のいずれか１項に記載の展示フレーム。
【請求項９】
枠体の内部に展示フレームと鑑賞対象物が収容された額縁であって、
前記展示フレームが、請求項１ないし請求項７のいずれか１項に記載の展示フレームであることを特徴とする額縁。
【考案の詳細な説明】
【技術分野】
【０００１】
本考案は、絵画や写真等の鑑賞対象物を展示するための展示フレームおよび前記展示フレームを収納した額縁に関する。
【背景技術】
【０００２】
一般に、絵画や写真等の鑑賞対象物は、フォトフレームなどの展示フレームに収納された状態で展示されている。このような展示フレームは、鑑賞対象物を展示するための展示窓が中央に形成されたフレーム本体を有している（例えば特許文献１）。そして、鑑賞対象物を強調するために、通常、展示フレームは、無地あるいはほぼ無地に近い状態で構成されている。
【先行技術文献】
【特許文献】
【０００３】
【特許文献１】実用新案登録第３０３７７６０号公報
【考案の概要】
【考案が解決しようとする課題】
【０００４】
本考案は、上記したような展示フレームに鑑賞対象物を収納して展示した際に、鑑賞対象物自体の美観を鑑賞者に与えるだけでなく、展示フレームから鑑賞対象物に興趣を添えることができる展示フレームを提供することを目的とする。
【課題を解決するための手段】
【０００５】
本考案者は、上記の課題を解決するため鋭意検討を行った結果、以下に記載する考案により上記の課題が解決できることを見出し、本考案を完成させるに至った。
【０００６】
即ち、請求項１に記載の考案は、
鑑賞対象物を展示するための展示窓が形成された板状のフレーム本体を備えている展示フレームであって、
前記フレーム本体における前記展示窓の周囲の領域に、特定のテーマに基づいた画像が表示されていることを特徴とする展示フレームである。
【０００７】
請求項２に記載の考案は、
前記展示窓の周囲の領域に表示された画像が、鑑賞者に前記鑑賞対象物と関連付けさせることができる画像であることを特徴とする請求項１に記載の展示フレームである。
【０００８】
請求項３に記載の考案は、
前記展示窓の周囲の領域が複数に分割されており、分割された複数の領域の各々に特定のテーマに基づいた画像が表示されていることを特徴とする請求項１または請求項２に記載の展示フレームである。
【０００９】
請求項４に記載の考案は、
前記鑑賞対象物が写真であり、
前記展示窓の周囲の領域に表示された画像が、前記鑑賞対象物の写真と撮影場所または被写体が同じ写真であることを特徴とする請求項１ないし請求項３のいずれか１項に記載の展示フレームである。
【００１０】
請求項５に記載の考案は、
前記鑑賞対象物が絵画であり、
前記展示窓の周囲の領域に表示された画像が、前記鑑賞対象物の絵画の作者の別の作品または前記鑑賞対象物の絵画と同じテーマの作品であることを特徴とする請求項１ないし請求項３のいずれか１項に記載の展示フレームである。
【００１１】
請求項６に記載の考案は、
前記フレーム本体が合紙マットで構成されていることを特徴とする請求項１ないし請求項５のいずれか１項に記載の展示フレームである。
【００１２】
請求項７に記載の考案は、
前記展示窓の面積が前記フレーム本体の背面から表面に向かって大きくなるように、前記展示窓の周縁部が傾斜していることを特徴とする請求項１ないし請求項６のいずれか１項に記載の展示フレームである。
【００１３】
請求項８に記載の考案は、
前記フレーム本体の背面に、板状の保持部材が取り付けられており、前記保持部材と前記フレーム本体との間に前記鑑賞対象物を挟み込んで保持するように構成されていることを特徴とする請求項１ないし請求項７のいずれか１項に記載の展示フレームである。
【００１４】
請求項９に記載の考案は、
枠体の内部に展示フレームと鑑賞対象物が収容された額縁であって、
前記展示フレームが、請求項１ないし請求項７のいずれか１項に記載の展示フレームであることを特徴とする額縁である。
【考案の効果】
【００１５】
本考案によれば、展示フレームに鑑賞対象物を収納して展示した際に、鑑賞対象物自体の美観を鑑賞者に与えるだけでなく、展示フレームから鑑賞対象物に興趣を添えることができる展示フレームを提供することができる。
【図面の簡単な説明】
【００１６】
【図１】本考案の第１の実施の形態に係る展示フレームの特徴を説明する図である。
【図２】本考案の第１の実施の形態に係る展示フレームの斜視図である。
【図３】本考案の第１の実施の形態に係る展示フレームを模式的に示す図であり、（ａ）は正面図、（ｂ）は（ａ）のＡ−Ａ断面図、（ｃ）は背面図である。
【図４】本考案の第２の実施の形態に係る展示フレームを収納した額縁の前面の模式図である。
【考案を実施するための形態】
【００１７】
１．第１の実施の形態
図１は第１の実施の形態に係る展示フレームの特徴を説明する図である。第１の実施の形態に係る展示フレームは、鑑賞対象物として写真を収納するフォトフレームである。なお、図１中の符号１は展示フレーム、１１はフレーム本体、１２は展示窓である。
【００１８】
本実施の形態に係る展示フレーム１は、板状のフレーム本体１１を備えており、フレーム本体１１の背面側に鑑賞対象物である写真が配置されている。そして、フレーム本体１１の背面側に配置された写真を鑑賞者が鑑賞することができるように、フレーム本体１１の中央部分に展示窓１２が形成されている。これらの構造については、従来の展示フレームと同様である。
【００１９】
しかし、本実施の形態においては、展示窓１２の周囲の領域ａ〜ｊに、特定のテーマに基づいた画像が表示されている点において従来の展示フレームと異なる。
【００２０】
本実施の形態においては、特定の観光地の写真や特定の画家の絵などの「特定のテーマに基づいた画像」を展示窓１２の周囲の領域ａ〜ｊに表示させることにより、鑑賞対象物を単独で鑑賞した場合と異なり、中央の鑑賞対象物に対する興趣を周囲の画像から添えることができるため、鑑賞者の鑑賞対象物に対する印象を良くすることができる。
【００２１】
なお、この展示窓１２の周囲の領域ａ〜ｊは、鑑賞対象物への印象に強い影響を与える部分であり、上記の通り、従来の展示フレームでは、鑑賞対象物の印象に展示フレーム１が与える影響をできるだけ小さくして鑑賞対象物を強調するために、この領域は無地にすることが一般的であり、何らかの画像を表示したとしても花柄などの汎用的な模様を小さく表示するのみであった。
【００２２】
これに対して、本実施の形態に係る展示フレームは、このような従来の考えに因われずに、展示窓１２の周囲の領域ａ〜ｊが鑑賞対象物に与える影響を逆に利用することにより、周囲の画像から中央の鑑賞対象物に興趣を添えるようにしている。
【００２３】
なお、上記した領域ａ〜ｊに表示させる画像は、鑑賞者に鑑賞対象物と関連付けさせることができる画像であることが好ましい。このような鑑賞対象物と関連した画像を展示窓１２の周囲の領域ａ〜ｊに表示することにより、鑑賞対象物に対する理解を助けたり、鑑賞対象物の印象をさらに良くしたりすることができる。
【００２４】
例えば、領域ａ〜ｊの各々に撮影地の写真が予め表示されており、鑑賞対象物として同じ撮影地で撮影した個人の写真を展示窓１２に展示することにより、展示窓１２に展示されている写真が、領域ａ〜ｊに表示されている写真と同じ撮影地に旅行して撮影した写真と鑑賞者に関連付けさせることができる。
【００２５】
次に、第１の実施の形態に係る展示フレーム１を具体的に説明する。図２は第１の実施の形態に係る展示フレームの斜視図であり、図３は第１の実施の形態に係る展示フレームを模式的に示す図である。図３（ａ）は正面図、（ｂ）は（ａ）のＡ−Ａ断面図、（ｃ）は背面図である。
【００２６】
なお、図３（ａ）中の展示窓１２の周囲には、図１のａ〜ｊに示すような画像を表示するための領域が形成されているが、他の部分の理解を容易にするために、図３（ａ）では領域ａ〜ｊの記載を省略している。また、同様の理由により、図３（ａ）においてはスタンド４２、図３（ｃ）においては展示窓１２と展示窓の周縁部１３の記載を省略している。
【００２７】
本実施の形態に係る展示フレーム１のフレーム本体１１は、板状のマットであり、中央部に展示窓１２が形成されている。フレーム本体１１の材質は、特に限定されず、例えば、ポリエチレン、ポリ塩化ビニル、フェノール樹脂、セルロイド、アクリル樹脂などの一般的な樹脂材料や、ボール紙などの厚紙、木製の板、ガラス板などが用いられるが、薄い紙を複数枚積層させた合紙マットが特に好ましい。
【００２８】
そして、前記したように、本実施の形態におけるフレーム本体１１には、展示窓１２の周囲の領域ａ〜ｊ（図１参照）に特定のテーマに基づく画像が表示されている。具体的には、図１に示すように、展示窓１２の周囲の領域が複数の領域ａ〜ｊに分割されており、分割された各々の領域ａ〜ｊに異なる種類の画像が表示されている。これらの画像は共通したテーマを有しており、鑑賞者に一定の統一感を与えて、鑑賞対象物の写真に興趣を添えることができる。
【００２９】
なお、画像を表示する領域を分割する数は特に限定されるものではなく、各領域の広さも適宜変えることができる。また、画像を表示する領域を分割せずに、展示窓１２の周囲の領域の全体に一つの画像を表示させてもよいし、分割された複数の領域の一部に画像が表示されていない領域があってもよい。例えば、図１における四隅の領域ａ、ｄ、ｉ、ｆのみに画像を表示させてもよい。
【００３０】
前記したように、展示窓１２の周囲の領域ａ〜ｊに表示する画像としては、展示窓１２から展示する鑑賞対象物の写真に関連した画像であることが好ましい。例えば、鑑賞対象物である写真と撮影場所や被写体が同じ写真、撮影場所のマスコットキャラクターの絵、撮影場所を説明する文章、子供の成長記録、家族の集合写真、子や孫が描いた絵、同窓会の写真、建築物の部屋や全体の間取り、ペットの表情の写真、カレンダー、鑑賞対象物に関連したデザインなどが挙げられる。これらの画像は、鑑賞対象物に対する理解を助けたり、鑑賞対象物の印象をさらに良くしたりすることができる。
【００３１】
また、展示窓１２は、板状のフレーム本体１１の中央部を打ち抜いてカットすることにより形成されている。このとき、フレーム本体１１の背面側から前面側に向かって展示窓１２の面積が広くなるように、展示窓１２の周縁部１３が傾斜していることが好ましい（図３（ｂ）参照）。これにより、展示窓１２の美感を向上させたり、鑑賞対象物を強調させたりすることができる。
【００３２】
また、本実施の形態においては、フレーム本体１１の背面に板状の保持部材２１が取り付けられている。そして、フレーム本体１１と保持部材２１の間には、スペーサ３１が配置されている。図３（ａ）に示すように、このスペーサ３１は、板状の保持部材２１の４辺のうち、３辺に沿って配置されたコの字型の部材であり、スペーサ３１が配置されていない辺には開口部３１ａ（図３（ａ）参照）が形成される。この開口部３１ａから写真をスライドさせて挿入することにより、鑑賞対象物である写真がフレーム本体１１と保持部材２１に収納される。
【００３３】
また、保持部材２１の背面にはスタンド４２が取り付けられている。スタンド４２は、一方の端部４２ａのみが保持部材２１に接着されており、図３（ｃ）中の一点鎖線の部分で折り曲げて広げることにより、図２に示すように展示フレーム１を立設させることができる。また、展示フレーム１を立設させる必要がない場合には、スタンド４２を閉じることにより展示フレーム１をコンパクトにすることができる。
【００３４】
第１の実施の形態に係る展示フレーム１によれば、図１に示すように、展示窓１２の周囲の領域ａ〜ｊに、特定のテーマに基づいた画像が表示されているため、周囲の画像から中央の写真に興趣を添えて鑑賞者の鑑賞対象物に対する印象を良くすることができる。
【００３５】
なお、第１の実施の形態に係る展示フレーム１を製造、販売するに際しては、顧客の要望に応じて、展示窓１２の周囲の領域ａ〜ｊに表示する画像を適宜変更するオーダーメイド方式を採用することも好ましい。例えば、顧客から写真や絵（キャラクター、絵画など）の写真を預かり、図１中の領域ａ〜ｊに貼り付けることにより、展示窓１２の周囲の領域ａ〜ｊを容易にデザインすることができる。
【００３６】
また、本実施の形態に係る展示フレームは、観光地やテーマパークのみやげ品として好適である。具体的には、観光地やテーマパークを訪れる観光客は、訪問先で写真を撮影するが、この観光地等で撮影した写真を鑑賞用として飾る場合に、展示窓１２の周囲の領域ａ〜ｊに観光地の写真やマスコットキャラクターの絵などが施された展示フレーム１を用いると、その時の感動を一目で瞬時に呼び覚まして興趣を上げることができる。このときに、領域ａ〜ｊに表示させる観光地の写真としては、仏像や社殿、塔などの神社仏閣の写真などが挙げられる。
【００３７】
また、本実施の形態に係る展示フレームは、複数の情報を一度に鑑賞者に与えることができるため、上記したような美的な鑑賞だけではなく、ビジネスにおいて情報を顧客に伝達する目的で使用することもできる。
【００３８】
例えば、企業が来訪者に自らの企業を紹介するために、展示窓１２の周囲の領域ａ〜ｊに支店やチェーン店の写真を貼り付け、中央の展示窓１２に本社の写真を展示するという使用方法が挙げられる。この場合、自らの企業がどのような支店、チェーン店を有しているかを顧客に一目で理解させることができる。また、他の使用方法としては、周囲の領域ａ〜ｊに代表者のプロフィールを記載し、中央の展示窓１２に代表者の写真を展示するという方法や、周囲の領域ａ〜ｊに飲食店のメニューを記載するという方法や、自治体の施設の紹介を記載する方法などが挙げられる。
【００３９】
また、新商品の展示会において、新商品の写真を展示窓１２に展示し、その周囲の領域ａ〜ｊに新商品の利点を説明する写真や関連商品の写真を表示するというような方法で使用することもできる。
【００４０】
２．第２の実施の形態
本考案の展示フレームは、上記の第１の実施の形態において説明したフォトフレームのように直接展示するだけでなく、鑑賞対象物と共に枠体の内部に収容することにより額縁として使用することもできる。以下、第２の実施の形態として、本考案に係る展示フレームを鑑賞対象物である絵画と共に額縁の枠体の内部に収納して使用する場合について説明する。
【００４１】
図４は第２の実施の形態に係る展示フレームを収納した額縁の前面の模式図である。図４に示すように、本実施の形態においても、第１の実施の形態と同様に、特定のテーマに基づいた画像が展示窓１２の周囲の領域ａ〜ｊに表示された展示フレームが用いられている。
【００４２】
そして、本実施の形態においては、第１の実施の形態に記載したフォトフレームのように、鑑賞対象物を収納した展示フレーム１をそのまま展示するのではなく、図４に示すように、鑑賞対象物の絵画とフレーム本体１１の両方を枠体５１の内部に収納して展示する。このときに、展示窓１２の周囲の領域ａ〜ｊの画像が枠体５１で隠れないように、適切な寸法の枠体５１が用いられている。
【００４３】
本実施の形態のように展示フレームを額縁に収納した場合、枠体５１に施された模様により鑑賞対象物の絵画を格調高く見せることができる。
【００４４】
なお、本実施の形態のように鑑賞対象物を絵画にする場合には、展示窓１２の周囲の領域ａ〜ｊに表示する画像として、例えば、鑑賞対象物の絵画の作者の別の作品や、鑑賞対象物の絵画と同じテーマの作品などを表示することが好ましい。
【００４５】
これらの鑑賞対象物の絵画と関連した画像は、鑑賞対象物の絵画との関連性が認識でき、鑑賞者が絵画を鑑賞する際に、鑑賞対象物の絵画に興趣を添えることができるため、鑑賞対象物の絵画に対する理解を助けたり、絵画の印象をさらに良くしたりすることができる。
【００４６】
また、このような額縁は、単に絵画の印象を向上させるだけではなく、美術品の紹介の目的で使用することもできる。具体的な方法としては、例えば、美術館が所蔵している所蔵品の写真や美術館展で展示中の展示品の写真を上記した領域ａ〜ｊに貼り付けた額縁を美術館で販売するという方法が挙げられる。
【００４７】
３．本考案の他の態様
なお、上記した第１の実施の形態においては鑑賞対象物として写真を例示し、第２の実施の形態においては鑑賞対象物として絵画を例示したが、第１の実施の形態に係る展示フレームを用いて絵画を展示してもよいし、第２実施の形態のような額縁を使用する態様で写真を展示してもよい。
【００４８】
また、上記した第１および第２の実施の形態においては、板状のフレーム本体の中央部を打ち抜いてカットすることにより展示窓を形成しているが、展示窓の位置や形成方法はこれに限定されない。例えば、展示窓はフレーム本体の中央部からずれた位置に形成されていてもよい。また、フレーム本体が透明な樹脂で形成されている場合には、フレーム本体を打ち抜いてカットしなくても、展示窓を形成する予定の位置の周囲の領域に画像を表示させるのみで、周囲に画像が表示された状態で鑑賞対象物を展示することができる。
【００４９】
以上、本考案を実施の形態に基づいて説明したが、本考案は、上記の実施の形態に限定されるものではない。本考案と同一および均等の範囲内において、上記の実施の形態に対して種々の変更を加えることが可能である。
【符号の説明】
【００５０】
１          展示フレーム
１１        フレーム本体
１２        展示窓
１３        展示窓の周縁部
２１        保持部材
３１        スペーサ
３１ａ      開口部
４２        スタンド
４２ａ      スタンドの一方の端部
５１        枠体
ａ〜ｊ      展示窓の周囲の領域
【図１】
0003204196.tif 000003
【図２】
0003204196.tif 000004
【図３】
0003204196.tif 000005
【図４】
0003204196.tif 000006